(57)【特許請求の範囲】
【請求項１】
インターネット網;
前記インターネット網を介してログインデータを伝送し、ログインデータに対応して伝送された復旧プラグインのモジュールチェック信号に対応して、現在保存された復旧プラグインのモジュールに対する情報を前記インターネット網を通じて伝送し、前記復旧プラグインのモジュール情報に対応して前記インターネット網を通じて入力される復旧プラグインのモジュールを設け、設けられた復旧プラグインのモジュールを用いて破損された保存媒体のデータ及びファイルを復旧し、復旧結果をインターネット網を通じて伝送し、インターネット網を通じて伝送された分析結果のデータを画面上に出力する複数クライアントＰＣ ; 及び
前記インターネット網を介して前記夫々クライアントＰＣにつながり、前記クライアントＰＣから入力されるログインデータを用いて登録済ユーザーか否かを判断し、登録済ユーザである場合、前記クライアントＰＣに保存された復旧プラグインのモジュールをチェックするため、前記インターネット網を介して復旧プラグインのモジュールチェック信号を前記クライアントＰＣへ伝送し、前記クライアントＰＣからインターネット網を介して伝送する復旧プラグインのモジュール情報を通じてクライアントＰＣの復旧プラグインモジュールを制御し、前記クライアントＰＣから伝送される復旧結果を分析し、分析された結果を前記クライアントＰＣへ伝送する復旧サーバを含むことを特徴とするインターネット基盤の遠隔データ及びファイル復旧サービスシステム。
【請求項２】
前記クライアントＰＣは、
前記復旧サーバへ通信アクセスを行うための通信プログラム;
前記通信プログラムに含まれ、前記通信プログラムを介して前記復旧サーバと通信アクセスが成立された場合、前記復旧サーバから伝送される復旧プログラムにより破損されたデータ及びファイルを復旧する、且つ復旧されたデータ及びファイルを所定領域に保存し、復旧結果を前記通信プログラムを介して前記復旧サーバへ伝送し、前記復旧結果に従って復旧サーバから伝送される分析結果を伝送される復旧プラグインモジュール;
破損したデータ及びファイルを有しており、前記復旧プラグインモジュールにより復旧される復旧対象領域 ; 及び
前記復旧プラグインモジュールにより復旧されたデータ及びファイルを保存している復旧データの保存領域からなることを特徴とする請求項第１に記載のインターネット基盤の遠隔データ及びファイル復旧サービスシステム。
【請求項３】
前記復旧サーバは、
前記インターネット網を介してクライアントＰＣと通信アクセスを行い、外部より入力される復旧プログラムを通信アクセスされたクライアントＰＣへ伝送し、クライアントＰＣから伝送される復旧の結果を外部へ出力し、前記復旧結果に対応する分析結果をクライアントＰＣへ伝送するウェブサーバ;
サーバ管理者により入力される復旧プログラムを有しており、外部の伝送制御に従って前記ウェブサーバへ前記復旧プログラムを伝送する復旧プラグインモジュール;及び
前記クライアントＰＣと前記ウェブサーバが通信アクセスが成立した場合、前記クライアントＰＣに復旧プラグインモジュールが保存してあるかをチェックし、保存されていない場合は、前記復旧プラグインモジュールをウェブサーバを介して伝送し、保存してある場合は保存した復旧プラグインモジュールと前記ウェブサーバに保存した復旧プラグインモジュールを比べ、同一のバージョンを有しているかを判断して、ウェブサーバにて前記復旧プラグインモジュールを伝送する、且つ前記ウェブサーバから入力される復旧結果を分析し、分析した結果をウェブサーバへ伝送すると共に、前記ログインデータに対応してデータベース化する管理モジュールから構成されることを特徴とする請求項第１に記載のインターネット基盤の遠隔データ及びファイル復旧サービスシステム。
【請求項４】
(１)クライアントＰＣの通信プログラムを介して復旧サーバにアクセスする過程;
(２)前記復旧サーバにアクセスした後、ユーザ認証ルーチンを行う過程;
(３)前記クライアントＰＣの復旧プラグインモジュールと前記復旧サーバとの復旧プラグインモジュールを比べるルーチンを行う過程;
(４)前記比較ルーチン過程を通じてクライアントＰＣに備えられた復旧プラグインモジュール用いて破損したデータ及びファイルを復旧した後、該結果を記録する過程;
(５)前記復旧結果を前記復旧サーバへ伝送し結果分析を依頼する過程;及び          (６)分析された結果を前記クライアントＰＣへ伝送することと共にデータベース化する過程からなることを特徴とするインターネット基盤の遠隔データ及びファイル復旧サービス方法。
【請求項５】
前記ユーザ認証ルーチンを行う過程(２)は、
(２−１) 復旧サーバは前記クライアントＰＣよりログインデータの入力用画面データを出力する過程 ;
(２−２) クライアントＰＣユーザが前記ログインデータの入力用画面を介してログインデータを入力する場合、これを復旧サーバへ伝送する過程 ;
(２−３) 復旧サーバは受信したログインデータが管理モジュールに登録済ログインデータか否かを判断する過程 ; 及び
(２−４) 前記ログインデータが登録済データである場合、復旧プラグインモジュールを比較ルーチンを行う過程(３)を行い、登録済ログインデータではない場合、当該メッセージを出力する過程からなることを特徴とする請求項第４に記載のインターネット基盤の遠隔データ及びファイル復旧サービス方法。
【請求項６】
前記復旧プラグインモジュールを比較するルーチンを行う過程(３)は、
(３−１)前記ウェブサーバを介してクライアントＰＣに復旧プラグインモジュールが設けてあるかを判断する過程 ;
(３−２)前記クライアントＰＣに復旧プラグインモジュールが設けてある場合、前記クライアントＰＣの復旧プラグインモジュールと復旧サーバとの復旧プラグインモジュールのバージョンを比較する過程 ; 及び
(３−３)前記クライアントＰＣの復旧プラグインモジュールのバージョンが復旧サーバの復旧プラグインモジュールのバージョンより低い場合、復旧サーバはクライアントＰＣにより復旧プラグインモジュールを伝送する過程からなることを特徴とする請求項第４に記載のインターネット基盤の遠隔データ及びファイル復旧サービス方法。
【発明の詳細な説明】
【０００１】
【発明の属する技術分野】
本発明はインターネット基盤の遠隔データ及びファイル復旧サービスシステム及びその方法に関するものである。
【０００２】
より詳しくは、様々な原因によりクライアントＰＣのハードディスク又はフロッピー（Ｒ）ディスクに保存されたデータ及びファイルが一部又は全部破損した場合、インターネットを介して遠隔にて復旧してもらえるインターネット基盤の遠隔データ及びファイル復旧サービスシステム及びその方法に関するものである。
【０００３】
【従来の技術】
最近には企業や団体等においてもＰＣ(ＰerＳonal ＣomＰuter, 以下個人が使用可能なコンピュータを称する)が各種業務に幅広く用いられているので、ＰＣに保存した特定データ及びファイルが破損したり流失したりする場合、ＰＣを用いるユーザの業務に致命的な影響を及ぼし得る。
【０００４】
過去にはＰＣのハードディスク又はフロッピー（Ｒ）ディスクなどのような保存媒体に保存したデータ及びファイルの破損や流失が主にユーザの操作ミスやデータ及びファイルを保存している保存媒体の物理的な欠陥により発生した。
【０００５】
しかしながら、最近に入ってはＰＣがコンピュータウィルスにより損なわれ、データ及びファイルが破損する場合がさらに多くなり、データ及びファイルの破損形態が極めて様々になった。
【０００６】
一応重要なデータ及びファイルが破損したら、バックアップ本又は写し本がある場合には、データ及びファイルの復旧が容易に行われることができる。しかし、そうではない場合にはこれを元の状態に戻すことが非常に困難で、最悪の場合にはこれを元の状態に復旧することが不可能となることもある。
【０００７】
前記のようにＰＣのハードディスク又はフロッピー（Ｒ）ディスクに記録されたデータ及びファイルが破損した場合、今まではユーザが復旧を望むハードディスク又はフロッピー（Ｒ）ディスクを専門復旧センターに任せるか、ユーザが復旧プログラムを購入した後、これをＰＣに組み込み復旧対象ハードディスクやフロッピー（Ｒ）ディスクを連結して復旧を行った。
【０００８】
しかし、ユーザが破損したデータ及びファイルを復旧するために専門センターに依頼する場合にはデータおよびファイルの復旧のため、高コストがかかると共にディスク内の重要情報が外部へ流出されることもあるため、企業などにおいては利用を憚るとの問題点があった。
【０００９】
なお、ユーザが破損したデータ及びファイルを復旧プログラムを用いて復旧しようとする場合には、データ及びファイルが破損する前に復旧プログラムが自体システムに具備されなければならないという問題点があり、このような復旧プログラムのアップデート体系は迅速ではないので、新種コンピュータウィルス等により発生するデータ及びファイル破壊には効果的に対応できないという問題点があった。
【００１０】
【発明が解決しようとする課題】
前記のような問題点を解決するための本発明はの目的は、多くの原因によりクライアントＰＣのハードディスク又はフロッピー（Ｒ）ディスクに保存したデータ及びファイルが一部又は全部破壊された場合、インターネットが利用可能なＰＣにつながったハードディスク又はフロッピー（Ｒ）ディスクが復旧サーバより遠隔復旧サービスを受け、破壊したデータ及びファイルを復旧するインターネット基盤の遠隔データ及びファイル復旧サービスシステム及びその方法を提供することである。
【００１１】
【課題を解決するための手段】
このような目的を達成するための本発明のシステムは、インターネット網 ; 前記インターネット網を介してログインデータを伝送し、ログインデータに対応して伝送された復旧プラグインモジュールチェック信号に対応して現在保存した復旧プラグインモジュールに対する情報を前記インターネット網を介して伝送し、前記復旧プラグインモジュール情報に対応して前記インターネット網を介して入力される復旧プラグインモジュールを設け、設けられた復旧プラグインモジュールを用いて破損した保存媒体のデータ及びファイルを復旧し、復旧結果をインターネット網を介して伝送し、インターネット網を介して伝送された分析結果データを画面上に出力する複数クライアントＰＣ ; 及び前記インターネット網を介して前記夫々クライアントＰＣとアクセスされ、前記クライアントＰＣから入力されるログインデータを用いて登録済ユーザかを判断し登録済ユーザの場合、前記クライアントＰＣに保存した復旧プラグインモジュールをチェックするため、前記インターネット網を介して復旧プラグインモジュールチェック信号を前記クライアントＰＣへ伝送し、前記クライアントＰＣにてインターネット網を介して伝送する復旧プラグインモジュール情報を介してクライアントＰＣの復旧プラグインモジュールを制御し、前記クライアントＰＣから伝送される復旧結果を分析し、分析した結果を前記クライアントＰＣへ伝送する復旧サーバを含む。
【００１２】
前記の目的を達成するための本発明の方法、
(１)クライアントＰＣの通信プログラムを介して復旧サーバへアクセスする過程と、 (２)復旧サーバへアクセスした後、ユーザ認証ルーチンを行う過程と、 (３)クライアントＰＣの復旧プラグインモジュールと復旧サーバの復旧プラグインモジュールを比べるルーチンを行う過程と、(４)比較ルーチン過程を介してクライアントＰＣに具備された復旧プラグインモジュールを用いて破損したデータ及びファイルを復旧した後、該結果を記録する過程と、 (５)復旧結果を復旧サーバへ伝送し結果分析を依頼する過程と、(６)分析した結果をクライアントＰＣへ伝送すると共にデータベース化する過程からなる。
【００１３】
【発明の実施の形態】
以下、添付の図面を参照して本発明の実施例を詳細に説明する。
【００１４】
図１は本発明によるインターネット基盤の遠隔データ及びファイル復旧サービスシステムの構成を概念的に説明するためのブロック図である。
【００１５】
図示のように、インターネット網(１００)は少なくとも一つのクライアントＰＣ(２００)が復旧サーバ(３００)にアクセスされるようにする。
【００１６】
クライアントＰＣ(２００)は前記のようにインターネット網(１００)を介してログインデータを復旧サーバ(３００)へ伝送する。 クライアントＰＣ(２００)は復旧サーバ(３００)から既に伝送したログインデータに対応する復旧プラグインモジュールチェック信号を受信する。クライアントＰＣ(２００)は受信した復旧プラグインモジュールチェック信号に対応して現在保存している復旧プラグインモジュール(図２の２０２)に対する情報をインターネット網(１００)を介して復旧サーバ(３００)へ伝送する。
【００１７】
クライアントＰＣ(２００)は伝送した復旧プラグインモジュール情報に対応してインターネット網(１００)を介して復旧サーバ(３００)から入力される復旧プラグインモジュール(図３の３０２)を設ける。 勿論、クライアントＰＣ(２００)が現在保存している復旧プラグインモジュールよりアップデートしたモジュールを復旧サーバ(３００)が用いている場合に復旧プラグインモジュールのアップデートが発生する。
【００１８】
クライアントＰＣ(２００)は設けられた復旧プラグインモジュール(図２の２０２)を用いて破損した保存媒体(２１０)のデータ及びファイルを復旧し、復旧結果をインターネット網(１００)を介して復旧サーバ(３００)へ伝送する。そして、クライアントＰＣ(２００)はインターネット網(１００)を介して復旧サーバ(３００)から伝送される分析結果データを画面上に出力する。
【００１９】
復旧サーバ(３００)はインターネット網(１００)を介して夫々クライアントＰＣ(２００)につながる。復旧サーバ(３００)はクライアントＰＣ(２００)から入力されるログインデータを用いて登録済ユーザかを判断し、登録済ユーザである場合にクライアントＰＣ(２００)に保存した復旧プラグインモジュール(図２の２０２)をチェックするための復旧プラグインモジュールチェック信号をインターネット網(１００)を介してクライアントＰＣ(２００)へ伝送する。
【００２０】
復旧サーバ(３００)はインターネット網(１００)を介してクライアントＰＣ(２００)から受信する復旧プラグインモジュール情報に基づき、クライアントＰＣ(２００)の復旧プラグインモジュール(図２の２０２)を制御する。復旧サーバ(３００)はクライアントＰＣ(２００)から伝送される復旧結果を分析し、分析された結果をクライアントＰＣ(２００)へ伝送する。
【００２１】
前記の保存媒体(２１０)としてはクライアントＰＣ(２００)に具備したハードディスク、又はフロッピー（Ｒ）ディスク等がある。勿論、データ及びファイルが保存できる他の形態の保存媒体がある。
【００２２】
前記のクライアントＰＣ(２００)は添付の図面の図２に示したように、通信プログラム(２０１)、復旧プラグインモジュール(２０２)、復旧対象領域(２０３)、復旧データ保存領域(２０４)から構成される。
【００２３】
通信プログラム(２０１)としては復旧サーバ(３００)へ通信アクセスを行う。 ここで、通信プログラム(２０１)はウェブブラウザーがある。
【００２４】
復旧プラグインモジュール(２０２)は通信プログラム(２０１)を介して復旧サーバ(３００)と通信アクセスが成立した場合、復旧サーバ(３００)から伝送される復旧プログラムにより破損したデータ及びファイルを復旧する、且つ復旧できたデータ及びファイルを復旧データ保存領域(２０４)へ保存する。図２に示したのは異なり、プラグインモジュール(２０２)が通信プログラム(２０１)に含まれ表すことができる。
【００２５】
なお、復旧プラグインモジュール(２０２)は前記の復旧結果を通信プログラム(２０１)を介して復旧サーバ(３００)へ伝送し、復旧結果に従って復旧サーバ(３００)から伝送される分析結果を伝達される。
【００２６】
復旧対象領域(２０３)は一部又は全部が破損したデータ及びファイルを有している。復旧対象領域(２０３)に位置する一部又は全部が破損したデータ及びファイルは復旧プラグインモジュール(２０２)により復旧される。
【００２７】
復旧データ保存領域(２０４)は復旧プラグインモジュール(２０２)により復旧したデータ及びファイルを保存している。
【００２８】
前記の復旧サーバ(３００)は、添付図面の図３に示したように、ウェブサーバ(３０１)、復旧プラグインモジュール(３０２)、管理モジュール(３０３)から構成される。
【００２９】
前記のウェブサーバ(３０１)はインターネット網(１００)を介してクライアントＰＣ(２００)と通信アクセスを行い、復旧プラグインモジュール(３０２)から入力される復旧プログラムを通信アクセスしたクライアントＰＣ(２００)へ伝送する。
【００３０】
一方、ウェブサーバ(３０１)はクライアントＰＣ(２００)から伝送される復旧結果を管理モジュール(３０３)へ出力し、復旧結果に対応する分析結果をクライアントＰＣ(２００)へ伝送する。
【００３１】
復旧プラグインモジュール(３０２)はサーバ管理者により入力された復旧プログラムを有しており、管理モジュール(３０３)の伝送制御に従ってウェブサーバ(３０１)へ復旧プログラムを伝送する。
【００３２】
管理モジュール(３０３)はクライアントＰＣ(２００)とウェブサーバ(３０１)が通信アクセスが成立した場合、クライアントＰＣ(２００)へ同バージョンの復旧プラグインモジュール(図２の２０２)が保存しているかをチェックし、保存されていない場合復旧プラグインモジュール(３０２)をウェブサーバ(３０１)を介して伝送する。
【００３３】
管理モジュール(３０３)がクライアントＰＣ(２００)へ復旧プラグインモジュール(図２の２０２)が保存してあるかをチェックした結果、復旧プラグインモジュールが保存してあると、保存した復旧プラグインモジュール(図２の２０２)と復旧サーバ(３００)に保存した復旧プラグインモジュール(３０２)を比べ、同一のバージョンを有しているかを判断する。
【００３４】
管理モジュール(３０３)が判断した結果、同一のバージョンではないと復旧プラグインモジュール(３０２)を制御し，ウェブサーバ(３０１)へ復旧プログラムを伝送するようにし，ウェブサーバ(３０１)がこれをクライアントＰＣ(２００)へ伝達するようになる。 これにより，クライアントＰＣ(２００)と復旧サーバ(３００)との復旧プラグインモジュール(２０２、３０２)が同一のバージョンを有する。
【００３５】
一方、管理モジュール(３０３)はウェブサーバ(３０１)から入力される復旧結果を分析し，分析した結果をウェブサーバ(３０１)へ伝送すると共に、ログインデータへ対応してデータベース化する。
【００３６】
このような構成された本発明によるインターネット基盤の遠隔データ及びファイル復旧サービスシステムの作用を添付図面の図４乃至図６を参照してさらに詳しく説明すると次のようである。
【００３７】
まず、クライアントＰＣ(１００)のユーザが通信プログラム(２０１)を介して復旧サーバ(３００)へアクセスする(Ｓ４１０)。
【００３８】
前記のように，クライアントＰＣ(１００)が復旧サーバ(３００)へアクセスすると、復旧サーバ(３００)を通信アクセスされたクライアントＰＣ(１００)のユーザが登録済ユーザかを確認するためのユーザ認証ルーチンを行う(Ｓ４２０)。
【００３９】
即ち、前記のユーザ認証ルーチン(Ｓ４２０)は添付図面の図５のような手順に行われるが、まず復旧サーバ(３００)はクライアントＰＣ(２００)からログインデータ入力用画面データを出力する(Ｓ４２１)。
【００４０】
そして、クライアントＰＣ(２００)はユーザがログインデータ入力用画面を介してログインデータを入力する場合，これをインターネット網(１００)を介して復旧サーバ(３００)へ伝送する(Ｓ４２２)。
【００４１】
次いで、復旧サーバ(３００)はインターネット網(１００)を介して受信したログインデータが管理モジュール(３０３)のデータベースに登録済ログインデータであるかを判断(Ｓ４２３)して，判断結果がユーザにより入力されたログインデータがデータベースに登録済ログインデータである場合、本プログラムを復旧し復旧プラグインモジュールを比べるルーチンを行う。
【００４２】
もし、ユーザにより入力されたログインデータが登録済データではない場合、'メンバーとしてご加入下さい'等のようなメッセージをインターネット網(１００)を介してクライアントＰＣ(２００)より出力する(Ｓ４２４)。
【００４３】
前記のように、ユーザの認証過程が終了したら、復旧サーバ(３００)はクライアントＰＣ(２００)に具備された復旧プラグインモジュール(２０２)と復旧サーバ(３００)との復旧プラグインモジュール(３０２)を比べるルーチンを行う(Ｓ４３０)。
【００４４】
すなわち、前記の復旧プラグインモジュールの比較ルーチンは添付図面の図６に示したように、復旧サーバ(３００)はウェブサーバ(３０１)を介してクライアントＰＣ(２００)に復旧プラグインモジュール(２０２)が設けられているかを判断する(Ｓ４３１)。
【００４５】
前記の過程(Ｓ４３１)を判断した結果、クライアントＰＣ(２００)に復旧プラグインモジュール(２０２)が設けてある場合、クライアントＰＣ(２００)の復旧プラグインモジュール(２０２)と復旧サーバ(３００)との復旧プラグインモジュール(３０２)のバージョンを比べる(Ｓ４３２)。
【００４６】
もし、クライアントＰＣ(２００)に復旧プラグインモジュール(２０２)が設けられていない場合、復旧サーバ(３００)は復旧プラグインモジュール(３０２)をクライアントＰＣ(２００)へ伝送してクライアントＰＣ(２００)が復旧プラグインモジュール(２０２)を有するようにした後、データ及びファイル復旧過程(Ｓ４４０)を行うことができるように本プログラムに復旧する。
【００４７】
前記の過程(Ｓ４３２)を比較した結果、クライアントＰＣ(２００)の復旧プラグインモジュール(２０２)のバージョンが復旧サーバ(３００)の復旧プラグインモジュール(３０２)のバージョンより低い場合、復旧サーバ(３００)はウェブサーバ(３０１)を介してクライアントＰＣ(２００)へ復旧プラグインモジュール(３０２)を伝送し(Ｓ４３３)、クライアントＰＣ(２００)に保存された復旧プラグインモジュールに対する情報を更新する。
【００４８】
もし、クライアントＰＣ(２００)に具備された復旧プラグインモジュール(２０２)と復旧サーバ(３００)に具備された復旧プラグインモジュール(３０２)とのバージョンが同一の場合、本プログラムへ復旧してデータ及びファイル復旧過程(Ｓ４４０)を行う。
【００４９】
前記のように、比較ルーチン過程(Ｓ４３０)を介してクライアントＰＣ(２００)に最新バージョンの復旧プラグインモジュールが具備されると、前記の復旧プラグインモジュール(２０２)は復旧対象領域(２０３)に保存された破損したデータ及びファイルを復旧して、復旧したデータ及びファイル及び復旧結果を結果保存領域(２０４)に保存させる(Ｓ４４０)。
【００５０】
一方、復旧プラグインモジュール(２０２)は前記のように復旧結果をクライアントＰＣ(２００)に保存すると共に、復旧サーバ(３００)へ伝送して復旧結果に対する分析を依頼する(Ｓ４５０)。
【００５１】
次いで、復旧サーバ(３００)はクライアントＰＣ(２００)の復旧結果を分析し、その分析結果を前記のクライアントＰＣ(２００)へ伝送し、その分析結果をログインデータに対応させ管理モジュール(３０３)のデータベースに登録させる(Ｓ４６０)。
【００５２】
【発明の効果】
以上からみたように、本発明のインターネット基盤の遠隔データ及びファイル復旧システムはコンピュータウィルスやユーザのミスなどにより破損したデータ及びファイルの復旧は勿論、ブート領域やFAT領域などが破損して起動が不可能なハードディスクも容易に復旧できるという効果がある。
【００５３】
なお、本発明は、別の復旧プログラムを常に備えない場合であっても、周りにインターネットのアクセスが可能なＰＣさえあれば、即時復旧可能であるという効果がある。
【００５４】
なお、本発明は、インターネットを介する遠隔復旧サービスに基づいているので、実際データ及びファイル復旧に用いられる復旧プラグインモジュールは常に最新のプログラムとして保持できるので、新種コンピュータウィルスにより破損したデータ及びファイルの復旧に極めて効率良く対応できるという効果がある。
【００５５】
前記の本発明においては望ましい実施例を参照して説明したが、当該技術分野の熟練した当業者は前記の特許請求範囲に記載の本発明の思想及び領域から外れない範囲内にて本発明を様々に修正及び変更できることが分かる。
【図面の簡単な説明】
【図１】  本発明によるインターネット基盤の遠隔データ及びファイル復旧サービスシステムの構成を概略的に説明するためのブロック図である。
【図２】  図１に適用したクライアントＰＣの構成を説明するための概略的なブロック図である。
【図３】  図１に適用した復旧サーバの構成を説明するための概略的なブロック図である。
【図４】  本発明によるインターネット基盤の遠隔データ及びファイル復旧サービス方法を説明するための手順図である。
【図５】  同じく本発明によるインターネット基盤の遠隔データ及びファイル復旧サービス方法を説明するための手順図である。
【図６】  同じく本発明によるインターネット基盤の遠隔データ及びファイル復旧サービス方法を説明するための手順図である。
【図１】
0003830389.tif 000002
【図２】
0003830389.tif 000003
【図３】
0003830389.tif 000004
【図４】
0003830389.tif 000005
【図５】
0003830389.tif 000006
【図６】
0003830389.tif 000007